(57)【要約】表示部品は、半透過層と、反射層と、少なくとも一つの側壁とを含む。前記反射層は、前記半透過層に対向して設けられ、前記少なくとも一つの側壁は、前記反射層と前記半透過層の間に設けられる。前記半透過層、前記反射層及び前記少なくとも一つの側壁は、一緒に、前記半透過層を通る入射光の入力時に、前記半透過層を通って目標色の光を出力するように構成される。一つ又は複数の前記少なくとも一つの側壁は、少なくとも一つの光変換層を含み、前記少なくとも一つの光変換層は、当てられたた異なる色の光により励起されると前記目標色の光を発するように構成される。前記表示部品は、赤色光、緑色光又は青色光を出力するように構成することができる。
2020531876.tif 000002
【特許請求の範囲】
【請求項１】
表示部品であって、
半透過層と、
前記半透過層に対向する反射層と、
前記反射層と前記半透過層の間に設けられる少なくとも一つの側壁と
を含み、
前記半透過層、前記反射層及び前記少なくとも一つの側壁は、一緒に、前記半透過層を通る入射光の入力時に、前記半透過層を通って目標色の光を出力するように構成され、
一つ又は複数の前記少なくとも一つの側壁は、少なくとも一つの光変換層を含み、前記少なくとも一つの光変換層は、当てられた異なる色の光により励起されると前記目標色の光を発するように構成される、表示部品。
【請求項２】
前記少なくとも一つの光変換層は、第１光変換材料を含み、前記第１光変換材料は、前記目標色の光より短い波長を有する光の励起時に、前記目標色の光を発するように構成される、請求項１に記載の表示部品。
【請求項３】
前記目標色は赤色であり、前記第１光変換材料は、緑色の光又は青色の光のうち少なくとも一つの励起時に前記赤色の光を発するように構成される第１量子ドット材料を含む、請求項２に記載の表示部品。
【請求項４】
前記少なくとも一つの光変換層は、
前記目標色の光より短い波長を有する光の励起時に前記目標色の光を発するように構成される第２光変換材料と、
前記目標色の光より長い波長を有する光の励起時に前記目標色の光を発するように構成される第３光変換材料と
を含む、請求項１に記載の表示部品。
【請求項５】
前記少なくとも一つの光変換層は、前記第２光変換材料と前記第３光変換材料の両方を含む一つの単一光変換層から構成される、請求項４に記載の表示部品。
【請求項６】
前記少なくとも一つの光変換層は、
前記第２光変換材料を含む第１光変換層と、
前記第３光変換材料を含む第２光変換層と
を含む、請求項４に記載の表示部品。
【請求項７】
前記目標色は、緑色であり、
前記第２光変換材料は、青色の光の励起時に前記緑色の光を発するように構成される第２量子ドット材料を含み、
前記第３光変換材料は、赤色の光の励起時に前記緑色の光を発するように構成される、請求項４に記載の表示部品。
【請求項８】
前記第３光変換材料は、少なくとも一つの希土類イオンでドープされた化合物を含み、前記化合物は、フッ化物、酸化物、硫化物、酸化フッ化物又はハロゲン化物のうち少なくとも一つを含む、請求項７に記載の表示部品。
【請求項９】
前記化合物は、ＮａＹＦ４であり、前記少なくとも一つの希土類イオンは、エルビウムと、イッテルビウムとを含む、請求項８に記載の表示部品。
【請求項１０】
前記少なくとも一つの光変換層は、前記目標色の光より長い波長を有する光の励起時に前記目標色の光を発するように構成される第４光変換材料を含む、請求項１に記載の表示部品。
【請求項１１】
前記目標色は、青色であり、前記第４光変換材料は、赤色の光及び緑色の光のうち少なくとも一つの励起時に前記青色の光を発するように構成される、請求項１０に記載の表示部品。
【請求項１２】
前記第４光変換材料は、少なくとも一つの希土類イオンでドープされた化合物を含み、前記化合物は、フッ化物、酸化物、硫化物、酸化フッ化物又はハロゲン化物のうち少なくとも一つを含む、請求項１１に記載の表示部品。
【請求項１３】
前記化合物は、ＮａＹＦ４であり、前記少なくとも一つの希土類イオンは、エルビウムと、イッテルビウムとを含む、請求項１２に記載の表示部品。
【請求項１４】
少なくとも一つの側壁の各々は、その内表面で反射性であるように構成される、請求項１乃至１３のいずれか１項に記載の表示部品。
【請求項１５】
前記半透過層は、
反射防止副層と、
前記反射防止副層の前記反射層から近い方の側上に設けられる金属吸収副層と
を含む、請求項１乃至１４のいずれか１項に記載の表示部品。
【請求項１６】
少なくとも一つの表示部品を含む表示装置であって、
前記少なくとも一つの表示部品の各々は、
半透過層と、
前記半透過層に対向する反射層と、
前記反射層と前記半透過層の間に設けられる少なくとも一つの側壁と
を含み、
前記半透過層、前記反射層及び前記少なくとも一つの側壁は、一緒に、前記半透過層を通る入射光の入力時に、前記半透過層を通って目標色の光を出力するように構成され、
一つ又は複数の前記少なくとも一つの側壁は、少なくとも一つの光変換層を含み、前記少なくとも一つの光変換層は、当てられた異なる色の光により励起されると、前記目標色の光を発するように構成される、表示装置。
【請求項１７】
前記目標色は、第１色、第２色又は第３色から選択され、前記第１色、前記第２色及び前記第３色は、それぞれ、三原色のうちの一色であり、且つ減少波長を有する、請求項１６に記載の表示装置。
【請求項１８】
前記第１色、前記第２色及び前記第３色は、それぞれ赤色、緑色及び青色である、請求項１７に記載の表示装置。
【請求項１９】
前記少なくとも一つの表示部品の各々の前記半透過層を通って入射する入射光を提供するように構成される光源を更に含む、請求項１６乃至１８のいずれか１項に記載の表示装置。
【請求項２０】
前記入射光が白色光である、請求項１９に記載の表示装置。
【発明の詳細な説明】
【技術分野】
【０００１】
本出願は、２０１７年８月２５に中国特許庁に提出された中国特許出願２００１７１０７４３２５２．７の優先権を主張し、その全ての内容が援用により本出願に取り込まれる。
【０００２】
本発明は、表示技術分野に関し、特に、表示部品及び表示装置に関する。
【背景技術】
【０００３】
Ｅ−ｉｎｋ技術のような既存の反射表示技術において、通常、異なる表示部品に多彩な粒子を用いてカラー表示を実現している。
【０００４】
例えば、赤色を表示しようとする場合、環境からの白色光が赤色光表示部品における赤色粒子の表面に到達すると、赤色の光（即ち、赤色光）のみが前記赤色粒子により反射されることにより、前記赤色光のみを表示する一方、他の光（即ち、緑色光及び青色光）は、吸収される。
【０００５】
同様に、緑色を表示しようとする場合、環境からの白色光が緑色光表示部品における緑色粒子の表面に到達すると、緑色の光（即ち、緑色光）のみが前記緑色粒子により反射されることにより、前記緑色光のみを表示する一方、他の色の光（即ち、赤色光及び青色光）は、吸収される。
【０００６】
青色を表示しようとする場合、環境からの白色光が青色光表示部品における青色粒子の表面に到達すると、青色の光（即ち、青色光）のみが前記青色粒子により反射されることにより、前記青色光のみを表示する一方、他の色の光（即ち、赤色光及び緑色光）は、吸収される。
【０００７】
このように、既存の反射表示技術の光の利用効率は比較的悪い。
【発明の概要】
【０００８】
既存の反射表示技術に係る問題に対処するために、本開示は、表示部品及び表示装置を提供する。
【０００９】
第１側面において、表示部品が提供される。
【００１０】
前記表示部品は、半透過層と、反射層と、少なくとも一つの側壁とを含む。前記反射層は、前記半透過層に対向するように設けられ、前記少なくとも一つの側壁は、前記反射層と前記半透過層の間に設けられる。
【００１１】
前記半透過層、前記反射層及び前記少なくとも一つの側壁は、一緒に、前記半透過層を通る入射光の入力時に、前記半透過層を通って目標色の光を出力するように構成される。一つ又は複数の前記少なくとも一つの側壁は、少なくとも一つの光変換層を含み、前記少なくとも一つの光変換層は、当てられた異なる色の光により励起されると、前記目標色の光を発するように構成される。
【００１２】
前記表示部品の幾つかの実施例によれば、前記少なくとも一つの光変換層は、第１光変換材料を含み、前記第１光変換材料は、前記目標色の光より短い波長を有する光の励起時に、前記目標色の光を発するように構成される。ここで、前記目標色は、赤色であってもよく、前記第１光変換材料は、緑色の光又は青色の光のうち少なくとも一種の励起時に、前記赤色の光を発するように構成される第１量子ドット材料を含んでいてもよい。
【００１３】
前記表示部品の別の幾つかの実施例によれば、前記少なくとも一つの光変換層は、第２光変換材料と、第３光変換材料とを含む。前記第２光変換材料は、前記目標色の光より短い波長を有する光の励起時に前記目標色の光を発するように構成され、前記第３光変換材料は、前記目標色の光より長い波長を有する光の励起時に前記目標色の光を発するように構成される。
【００１４】
ここで、前記少なくとも一つの光変換層は、前記第２光変換材料と前記第３光変換材料の両方を含む一つの単一光変換層から構成されていてもよい。或いは、前記少なくとも一つの光変換層は、前記第２光変換材料を含む第１光変換層と、前記第３光変換材料を含む第２光変換層とを含んでいてもよい。
【００１５】
上記のような表示部品の実施例において、前記目標色は、緑色であってもよく、前記第２光変換材料は、青色の光の励起時に前記緑色の光を発するように構成される第２量子ドット材料を含み、前記第３光変換材料は、赤色の光の励起時に前記緑色の光を発するように構成されていてもよい。
【００１６】
ここで、前記第３光変換材料は、少なくとも一つの希土類イオンでドープされた化合物を含み、前記化合物は、フッ化物、酸化物、硫化物、酸化フッ化物又はハロゲン化物のうち少なくとも一つを含んでよい。必要に応じて、前記化合物は、ＮａＹＦ４であってよく、前記少なくとも一つの希土類イオンは、エルビウムと、イッテルビウムとを含むことができる。
【００１７】
前記表示部品のまた別の幾つかの実施例によれば、前記少なくとも一つの光変換層は、前記目標色の光より長い波長を有する光の励起時に前記目標色の光を発するように構成される第４光変換材料を含む。
【００１８】
ここで、前記目標色は青色であり、前記第４光変換材料は、赤色の光及び緑色の光のうち少なくとも一つの励起時に、前記青色の光を発するように構成されていてもよい。
【００１９】
前記第４光変換材料は、少なくとも一つの希土類イオンでドープされた化合物を含み、前記化合物は、フッ化物、酸化物、硫化物、酸化フッ化物又はハロゲン化物のうち少なくとも一つを含むことができる。前記化合物は、ＮａＹＦ４であってよく、前記少なくとも一つの希土類イオンは、エルビウムと、イッテルビウムとを含むことができる。
【００２０】
上記のような表示部品の実施例のいずれにおいても、少なくとも一つの側壁の各々は、その内表面で反射性であるように構成されていてもよい。
【００２１】
上記のような表示部品の実施例のいずれにおいても、前記半透過層は、反射防止副層と、金属吸収副層とを含み、前記金属吸収副層は、前記反射防止副層の前記反射層に近い方の側に設けられていてもよい。
【００２２】
第２側面において、表示装置を更に提供する。
【００２３】
前記表示装置は、少なくとも一つの表示部品を含む。各表示部品は、半透過層と、反射層と、少なくとも一つの側壁とを含む。前記反射層は、前記半透過層に対向するように設けられる。前記少なくとも一つの側壁は、前記反射層と前記半透過層の間に設けられる。前記半透過層、前記反射層及び前記少なくとも一つの側壁は、共に、前記半透過層を通る入射光の入力時に、前記半透過層を通って目標色の光を出力するように構成される。一つ又は複数の前記少なくとも一つの側壁は少なくとも一つの光変換層を含み、前記少なくとも一つの光変換層は、当てられた異なる色の光により励起されると、前記目標色の光を発するように構成される。
【００２４】
前記表示装置において、前記目標色は、第１色、第２色又は第３色から選択され、前記第１色、前記第２色及び前記第３色は、それぞれ、三原色のうちの一色であり、且つ減少波長を有することができる。幾つかの実施例によれば、前記第１色、前記第２色及び前記第３色は、それぞれ赤色、緑色及び青色である。
【００２５】
前記表示装置は、光源を更に含むことができ、前記光源は、前記少なくとも一つの表示部品の各々の前記半透過層を通って入射する入射光を提供するように構成される。幾つかの実施例によれば、前記入射光は、白色光である。
【００２６】
本開示における実施例を明確に説明するために、実施例の記述に使用する必要のある添付図面を簡単に紹介する。
【００２７】
明らかに、以下の添付図面は、単に本開示の一部の実施例であり、当業者にとって、創造的労働をしない前提でこれらの添付図面に示される構造に基づいて、他の添付図面を取得することができきる。
【図面の簡単な説明】
【００２８】
【図１Ａ】本開示の幾つかの実施例に係る表示部品の模式図を示す。
【図１Ｂ】本開示の別の幾つかの実施例に係る表示部品の模式図を示す。
【図２】本開示の幾つかの実施例に係る赤色光を反射するように構成される表示部品を示す図面である。
【図３】本開示の幾つかの実施例に係る緑色光を反射するように構成される表示部品を示す図面である。
【図４】本開示の幾つかの実施例に係る青色光を反射するように構成される表示部品を示す図面である。
【発明を実施するための形態】
【００２９】
次に、具体的な例を挙げて本開示の様々な実施例を記述し、当業者は、本明細書に開示される内容から本開示の他の利点及び効果を容易に理解できる。
【００３０】
明らかに、記述される実施例は、全部の実施例ではなく、本開示の実施例の一部に過ぎない。本開示はまた、異なる特定の実施例を通じて実施又は適用することができ、本開示の精神を逸脱することなく、異なる視点及び用途に基づいて、本明細書の様々な詳細を修正又は変更することもできる。
【００３１】
本開示の実施例に基づいて、創造的労働をしない前提で当業者により取得されるすべての他の実施例は、本開示の保護範囲内に属する。説明すべきことは、矛盾がないことを前提として、以下の実施例及び実施例における特徴を組み合わせることができる。
【００３２】
本開示は、既存の反射表示技術において光の利用効率が比較的に悪いことに対処するために、表示部品及び前記表示部品を含む表示装置を提供する。
【００３３】
第１側面において、本開示は、表示部品を提供する。
【００３４】
図１Ａは、本開示の幾つかの実施例に係る表示部品の模式図を示す。図１Ａに示すように、前記表示部品は、半透過層１２と、半透過層１２に対向する反射層１１と、反射層１１と半透過層１２の間に設けられる少なくとも一つの側壁（図１Ａには、２つの側壁１３、１４のみを図示）とを含む。
【００３５】
半透過層１２、反射層１１及び前記少なくとも一つの側壁は、一緒にキャビティ形成することができる。前記キャビティは、前記半透過層と前記反射層がそれぞれその平行且つ対向する２つの側にある限り、任意の形状であってよい。例えば、前記キャビティは、前記半透過層と前記反射層が円筒形状のキャビティの平行する２つの側にある円筒の形状を有することが可能である。或いは、前記キャビティは、直方体の形状を有するか（例えば、図１Ａ及び図１Ｂに図示）、又は不規則な形状を有することもできる。説明すべきことは、図１Ａに示すような表示部品の実施例において、前記キャビティは、直方体の形状を取っており、対向する２つの側壁１３、１４のみが示されている。
【００３６】
図１Ａに示すように、前記表示部品は、前記少なくとも一つの側壁のうちの一つ又は複数の側壁の内側（即ち、側壁の前記キャビティに近い方の側）に配置される光変換層１５を含む。光変換層１５は、当てられた異なる色の光により励起されると目標色の光を発するように構成される。言い換えれば、光変換層１５は、反射層１１により反射された入射光（即ち、入射する光、又は入射光線等）を前記目標色の光に変換するように構成される。ここで、前記目標色は、任意の色であってよく、例えば、赤色、緑色又は青色のような原色であってもよい。
【００３７】
このように、上記のような表示部品において、半透過層１２、反射層１１、前記少なくとも一つの側壁、及び少なくとも一つの光変換層１５は、一緒に、半透過層１２を通る入射光の入力時に、半透過層１２を通して前記目標色の光を出力するように構成される。
【００３８】
説明すべきことは、図１Ｂに示すような表示部品の別の幾つかの実施例によれば、半透過層１２は、反射防止副層１２Ａと、金属吸収副層１２Ｂとを含み、金属吸収副層１２Ｂは、反射防止副層１２Ａの反射層１１から近い側に設けられる。前記表示部品の本実施例は、反射層１１による反射後、目標色（即ち、所定の波長）を有する反射光は、反射防止副層１２Ａ及び金属吸収副層１２Ｂを透過する一方、他の波長を有する反射光は、前記キャビティ内部で繰り返し振動し、光のエネルギーが最終的に消散するまで金属吸収副層１２Ｂにより吸収されるように構成される。このように、図１Ｂに示すような表示部品のこれらの実施例は、前記目標色の光の出力を実現することができる。
【００３９】
説明すべきことは、以下では、図２、図３及び図４を参照して前記表示部品の３つの実施例を詳細に記述し、前記表示部品の３つの実施例の各々において、前記半透過層、前記反射層及び前記少なくとも一つの側壁により形成されるキャビティは、規則的な直方体の形状を有する。断面図には、対向して設けられた２つの側壁（即ち、第１側壁及び第２側壁）のみが図示及び記述されている。
【００４０】
図２、図３及び図４の各々に示されているように、本文に開示される表示部品の各実施例は、反射層２１と、半透過層２２とを含む。前記表示部品の少なくとも一つの側壁は、図２〜４の各々に示すような断面図における、反射層２１と半透過層２２の間に設けられた第１側壁２３と、第２側壁２４とを含む。反射層２１、半透過層２２及び前記少なくとも一つの側壁は、一緒にキャビティを形成する。
【００４１】
前記表示部品のキャビティの内部では、少なくとも一つの光変換層が前記表示部品の第１側壁２３又は第２側壁２４のうち少なくとも一方の上に設けられる。前記少なくとも一つの光変換層は、反射層２１により反射された入射光（即ち、入射する光、又は入射光線等）を目標色の光に変換するように構成される（即ち、前記少なくとも一つの光変換層は、反射層２１により反射された入射光により励起されると目標色の光を発するように構成される）。前記キャビティは、前記目標色の光が確実に半透過層２２を通って出射できるように構成される。
【００４２】
このように、本開示により提供される表示部品は、キャビティを含み、少なくとも一つの光変換層が第１側壁２３又は第２側壁２４のうち少なくとも一方の上に構成される。前記キャビティは、所定の波長の入射光（即ち、目標色の光）のみを反射する一方、他の波長の入射光は、前記少なくとも一つの光変換層により吸収され、更に前記キャビティ外へ出射する前記目標色の光に変換されるように構成される。これにより、前記表示部品の光の利用率が向上する。
【００４３】
以下では、それぞれ赤色光、緑色光又は青色光を反射する上記のような３つの異なる種類の前記表示部品を詳細に記述する。
【００４４】
図２は、実質的に、特に赤色光を反射する表示部品である本開示の幾つかの実施例に係る第１種の前記表示部品を示す。
【００４５】
図２に示すように、当該第１種の表示部品は、赤色光を反射するように構成されるキャビティを含む。励起されて赤色光を発し得る第１光変換材料１０を含む少なくとも一つの光変換層が、第１側壁２３又は第２側壁２４のうち少なくとも一方の上に構成又は設置される。ここで、第１光変換材料１０は、緑色光又は青色光のような他の光により励起されると赤色光を発するように構成される第１量子ドット材料又は他の材料であってもよい。
【００４６】
以下では、第１光変換材料１０が第１側壁２３及び第２側壁２４の両方の上に構成される実施例を挙げて第１種の表示部品の作動原理を記述する。
【００４７】
具体的には、前記第１種の表示部品の第１実施例において、前記入射光は、白色光であり、前記目標色の光は、赤色の光（即ち、赤色光）であり、第１光変換材料１０は、青色光及び緑色光により励起されると前記青色光及び緑色光を吸収して赤色光を発するように構成される材料である。
【００４８】
前記第１種の表示部品の当該第１実施例において、前記白色光は、特に三原色である赤色、緑色、青色の光を発する光源から得ることができる。前記白色光の赤色部分（即ち、前記赤色光）は、他の要因による影響を受けること無く、前記キャビティの内室の外に反射される。前記白色光の緑色部分及び青色部分（即ち、それぞれ緑色光及び青色光）は、前記キャビティの内室内部（より具体的には、第１側壁２３及び第２側壁２４上）の光変換材料に到達した後、吸収され、これと同時に、前記光変換材料は、前記緑色光及び青色光により励起されて赤色光を発し、当該赤色光は、更に前記キャビティの内室の外へ反射される。
【００４９】
具体的には、前記第１種の表示部品の第２実施例において、前記入射光は、緑色光であり、前記目標色の光は、赤色光であり、第１光変換材料１０は、緑色光を吸収して前記緑色光を赤色光に変換する（即ち、前記緑色光により励起されると赤色光を発する）ように構成される材料である。前記第１種の表示部品の当該第２実施例において、前記キャビティの内室内部の光変換材料に到達する緑色光は、吸収され、これと同時に、前記光変換材料は、前記緑色光に励起されて赤色光を発し、当該赤色光は、更に前記キャビティの内室の外へ反射される。
【００５０】
同様に、前記第１種の表示部品の第３実施例において、前記入射光は、青色光であり、前記目標色の光は、赤色光であり、前記光変換材料は、青色光を吸収し、前記青色光を赤色光に変換する（即ち、前記青色光により励起されると赤色光を発する）ように構成される材料である。前記第１種の表示部品の当該第３実施例において、前記青色光は、前記キャビティの内室内部の光変換材料に到達した後、吸収され、これと同時に、前記光変換材料は、前記青色光により励起されて赤色光を発し、当該赤色光は、更に前記キャビティの内室の外へ反射される。
【００５１】
前記第１種の表示部品の第４実施例において、前記入射光は、緑色光及び青色光の混合であり、前記目標色の光は、赤色光であり、第１光変換材料１０は、青色光及び緑色光により励起されると前記青色光及び緑色光を吸収して赤色光を発するように構成される材料である。前記緑色光及び青色光は、前記キャビティの内室内部の光変換材料に到達し、吸収され、これと同時に、前記光変換材料は、励起されて赤色光を発し、当該赤色光は、更に前記キャビティの内室の外へ反射される。
【００５２】
図３は、実質的に、特に緑色光を反射する表示部品である本開示の幾つかの実施例に係る第２種の表示部品を示す。
【００５３】
図３に示すように、前記第２種の表示部品は、緑色光を反射するように構成されるキャビティを含む。励起されて緑色光を発し得る少なくとも一つの光変換層が、前記キャビティの内室内部の第１側壁２３又は第２側壁２４のうち少なくとも一方の上に構成される。以下では、前記少なくとも一つの光変換層が第１側壁２３及び第２側壁２４の両方の上に構成される実施例を挙げて当該第２種の表示部品の作動原理を記述する。
【００５４】
具体的には、前記第２種の表示部品の第１実施例において、前記入射光は、白色光であり、目標色の光は、緑色光であり、少なくとも一つの光変換層は、第２光変換材料２０と、第３光変換材料３０とを含む。
【００５５】
第２光変換材料２０は、比較的に短い波長且つ比較的に高い周波数の第１光により励起された後に比較的に長い波長且つ比較的に低い周波数の第２光を発するように構成され、このため、第２光変換材料２０は、ダウンコンバート材料とも呼ばれる。第３光変換材料３０は、比較的に長い波長且つ比較的に低い周波数の第２光により励起された後に比較的に短い波長且つ比較的に高い周波数の第２光を発するように構成され、このため、第３光変換材料３０は、アップコンバート材料とも呼ばれる。
【００５６】
前記第２種の表示部品の当該第１実施例において、第３光変換材料３０は、赤色光により励起されると前記赤色光を吸収して緑色光を発するように構成され、第２光変換材料２０は、青色光により励起されると青色光を吸収して緑色光を発するように構成される。ここで、第２光変換材料２０は、前記青色光のような他の光により励起されると緑色光を発し得る第２量子ドット材料又は他の材料であってもよい。
【００５７】
更に、図３に示すように、第２光変換材料２０及び第３光変換材料３０は、緑色光を反射するように構成される前記キャビティの内室における第１側壁２３及び第２側壁２４の各々の上に設けられる。第２光変換材料２０及び第３光変換材料３０は、第１側壁２３及び第２側壁２４の各々の上に交互に設けられている（即ち、混合モード）。
【００５８】
説明すべきことは、当該図３に示すような混合モード以外にも、第２光変換材料２０及び第３光変換材料３０は、積層モードで、第１側壁２３及び第２側壁２４の各々の上に設けられていてもよく、即ち、互いに第１側壁２３及び第２側壁２４のそれぞれの上に、第２光変換材料２０の層と第３光変換材料３０の層が互いに重なり合って積層されていてもよい。当該２つの層の相対位置は、交換可能であり（即ち、第３光変換材料３０の層よりも第２光変換材料２０の層の方が第１側壁２３又は第２側壁２４に近い位置に設けられるか、或いは、第２光変換材料２０の層よりも第３光変換材料３０の方が第１側壁２３又は第２側壁２４に比較的に近い位置に設けられる）。
【００５９】
ここで、前記第２種の表示部品の当該第１実施例において、前記入射光は、白色光である。このように、前記白色光の赤色部分（即ち、赤色光）は、第３光変換材料３０により吸収され、第３光変換材料３０は、前記赤色光により励起されて緑色光を発し、そして、当該緑色光は、前記キャビティの内室の外へ反射される。前記白色光の青色部分（即ち、青色光）は、第２光変換材料２０により吸収され、第２光変換材料２０は、前記青色光により励起されて緑色光を発し、そして、当該緑色光は、前記キャビティの内室の外へ反射される。前記白色光の緑色部分（即ち、緑色光）は、影響を受けず、直接前記キャビティの内室の外へ反射される。
【００６０】
同様に、前記第２種の表示部品の第２実施例において、前記入射光は、赤色光及び青色光の混合光であり、前記目標色の光は、緑色光であり、前記少なくとも一つの光変換層は、第２光変換材料２０と、第３光変換材料３０とを含む。このように、前記第２種の表示部品の当該第２実施例の緑色光を反射する作動原理は、前記第２種の表示部品の第１実施例と同一であるため、ここでは、繰り返し説明しない。
【００６１】
前記第２種の表示部品の第３実施例において、前記入射光は、赤色光であり、前記少なくとも一つの光変換層は、第３光変換材料３０を含む。このように、反射層２１より反射される赤色光は、前記キャビティの内室内部の第３光変換材料３０により吸収され、第３光変換材料３０は、励起されて緑色光を発することが可能であり、そして、当該緑色光は、前記キャビティの内室の外へ反射される。
【００６２】
前記第２種の表示部品の第４実施例において、前記入射光は、青色光であり、前記少なくとも一つの光変換層は、第２光変換材料２０を含む。このように、反射層２１により反射される青色光は、第２光変換材料２０に吸収され、第２光変換材料２０は、励起されて緑色光を発することができ、そして、当該緑色光は、前記キャビティの内室の外へ反射される。
【００６３】
図４は、実質的に、特に青色光を反射する表示部品である本開示の幾つかの実施例に係る第３種の表示部品を示す。
【００６４】
図４に示すように、当該第３種の表示部品は、青色光を反射するように構成されるキャビティを含み、励起されて青色光を発し得る第４光変換材料４０を含む少なくとも一つの光変換層が、前記キャビティの内室内部の第１側壁２３又は第２側壁２４のうち少なくとも一方の上に構成される。以下では、前記光変換材料が第１側壁２３及び第２側壁２４の両方の上に構成される実施例を挙げて、当該第３種の表示部品の作動原理を記述する。
【００６５】
具体的には、当該第３種の表示部品の第１実施例において、前記入射光は、白色光であり、前記目標色の光は、青色光であり、第４光変換材料４０は、第３光変換材料３０であってよい。このように、第３光変換材料３０は、前記白色光の赤色部分及び緑色部分（即ち、前記赤色光及び前記緑色光）を吸収することができ、且つ励起されて青色光を発することができ、そして、前記青色光は、前記キャビティの外へ反射される。前記白色光の青色部分（即ち、前記青色光）は、影響を受けず、直接前記キャビティの内室の外へ反射される。
【００６６】
同様に、前記第３種の表示部品の別の実施例において、前記入射光は、赤色光及び／又は緑色光であり、前記目標色の光は、青色光である。この場合、前記入射光が白色光である場合と同様に、前記光変換材料は、赤色光及び／又は緑色光を吸収し、且つ励起されることにより、更に青色光を発して前記キャビティ内室の外へ反射できる、第３光変換材料３０である。
【００６７】
ここで、赤色光及び／又は緑色光を吸収し、青色光を発するように構成される第３光変換材料３０（即ち、アップコンバート材料）は、少なくとも一つの希土類イオンでドープされた化合物（例えば、フッ化物、酸化物、硫化物、酸化フッ化物、ハロゲン化物等）を含み、第３光変換材料３０（即ち、アップコンバート材料）の一例としては、ＮａＹＦ４：Ｅｒ、Ｙｂであり、ここで、前記化合物ＮａＹＦ４は、エルビウム及びイッテルビウムの両方でドープされ、エルビウムは、活性剤として構成され、イッテルビウムは、増感剤として構成される。
【００６８】
当該３種類の表示部品のいずれにおいても、前記キャビティの第１側壁２３及び第２側壁２４の各々は、反射材料の組成を有することができ、又は、反射材料の組成を有する内表面を含むことができる。このように、前記光変換材料から出射する目標色の光が前記キャビティの外へ反射でき、光の浪費を効果的に低減する。
【００６９】
第２側面において、本開示は、表示装置を更に提供する。
【００７０】
前記表示装置は、上記のような表示部品のいずれか一つ又は任意の組み合わせを含む。上記のように、前記表示装置は、電源、表示駆動回路のような他の従来の構造を更に含む。
【００７１】
前記表示装置は、携帯電話、タブレットＰＣ、テレビ、モニター、ノートパソコン、デジタルフォトフレーム又はナビゲータ等のような表示機能付きの電子製品又は部品であってよい。
【００７２】
以上、具体的な実施例を詳細に記述したが、この記述は、単に説明を目的としたものである。従って、理解すべきことは、上記の多様な側面は、明示的に述べられていない限り、必要又は不可欠な要素として意図されるものではない。
【００７３】
上記に加えて、本開示の利点を有する本例示的な実施例の開示された側面の様々な変更及びそれに対応する同等の行為は、当業者にとっては、以下の特許請求の範囲により定義される本開示の精神及び範囲を逸脱することなく実施でき、前記請求項の範囲は、このような変更及び同等の構造を含むように、最も広い解釈が与えられるべきである。
【図１Ａ】
2020531876.tif 000003
【図１Ｂ】
2020531876.tif 000004
【図２】
2020531876.tif 000005
【図３】
2020531876.tif 000006
【図４】
2020531876.tif 000007
【国際調査報告】
2020531876.tif 000008
2020531876.tif 000009